(57)【要約】【課題】色弱者が操作画面を介して画像データに対する各種設定を行う場合であっても、アクセシビリティ（利用しやすさの度合い）を高めることが可能な画像受付装置を提供する。【解決手段】プリント注文受付システム１は、ディスプレイ２２と、変換領域特定部３３と、表示制御部３４と、を備えている。そして、変換領域特定部３３が、グレースケール表示にする領域を所定の領域（操作領域、操作領域および画像領域）に特定し、表示制御部３４が、上記所定の領域をグレースケール表示に変換してディスプレイ２２に表示する。【選択図】図４
2009015438.tif 000002
【特許請求の範囲】
【請求項１】
画像データを表示する画像領域と、前記画像データに対して所定の処理を実行するための操作領域と、によって形成されている操作画面を介して前記画像データの処理に関する各種設定を受け付ける画像受付装置であって、
前記操作画面を表示する表示部と、
前記操作画面において色弱者用表示に変換する所定の領域を特定する変換領域特定部と、
前記所定の領域を前記色弱者用表示に変換した前記操作画面を生成し、前記表示部に表示させる表示制御部と、
を備えている画像受付装置。
【請求項２】
前記所定の領域は、前記操作領域である、
請求項１に記載の画像受付装置。
【請求項３】
前記所定の領域を前記操作領域とする色弱者モードと、前記所定の領域を前記操作画面全体とする全画面色弱者モードと、前記操作画面において色弱者用表示をしない通常モードと、を選択可能にする表示モード選択部を、さらに備えている、
請求項１または２に記載の画像受付装置。
【請求項４】
前記色弱者用表示とは、グレースケール表示である、
請求項１から３のいずれか１項に記載の画像受付装置。
【請求項５】
前記色弱者用表示で表示される色について調整可能な表示色調整部をさらに備えている、
請求項１から４のいずれか１項に記載の画像受付装置。
【請求項６】
前記画像データに対してテンプレートを合成する画像合成部をさらに備えており、
前記所定の領域は、前記画像領域に表示される前記画像合成部によって合成された前記画像データにおける前記テンプレート部分を含む、
請求項１から５のいずれか１項に記載の画像受付装置。
【請求項７】
操作画面を介して画像データの処理に関する各種設定を受け付ける画像受付処理をコンピュータに実行させる画像受付処理プログラムであって、
前記操作画面において色弱者用表示に変換する所定の領域を特定する第１のステップと、
前記所定の領域を色弱用表示に変換した前記操作画面を生成する第２のステップと、
前記第２のステップによって生成された前記操作画面を表示部に表示させる第３のステップと、
を備えた画像受付処理をコンピュータに実行させる画像受付処理プログラム。
【発明の詳細な説明】
【技術分野】
【０００１】
本発明は、操作画面を介して画像データに所定の処理を実行する色弱者向けの画像受付装置に関する。
【背景技術】
【０００２】
パーソナルコンピュータやワークステーション等で備える表示装置のみならず、自動券売機、ＡＴＭ、情報端末装置等にもカラー表示可能な表示装置が使用されている。
これらの表示装置による色情報は、色盲、色弱等の色覚障害者にとって識別しにくいことがあり、情報認識の妨げになる。こうした現状に対して、カラーユニバーサルデザイン、すなわち、一部の色の組み合わせについて一般色覚者と見え方が異なる色弱者に配慮して、全ての人に情報が正確に伝わるように利用者側の視点に立って作られた配色のデザインを導入する取り組みがここ数年で始まっている。
【０００３】
例えば、特許文献１においては、表示切り替え手段の操作によってカラー表示された画面を白黒２色の表示に切り換える端末装置の画面表示方法が開示されている。また、特許文献２においては、赤緑色覚障害者が最も判別可能な表示色で表示するために映像信号を加工する表示システムが開示されている。
【特許文献１】特開２００１−２２８９４８号公報
【特許文献２】特開平１１−１７５０５０号公報
【発明の開示】
【発明が解決しようとする課題】
【０００４】
しかしながら、上記従来の画面表示方法および表示システムでは、以下に示すような問題点を有している。
すなわち、上記従来の画面表示方法および表示システムでは、表示する画面全体に対して所定の色弱者用表示を行っている。ところが、画像データに対して所定の処理を行う、例えば、画像受付装置においては、画像データのそのものの色合いを確認したいという要望があるため、画面全体を所定の色弱者用表示で表示することは好ましくない。
【０００５】
本発明は、上記従来の課題を解決するもので、色弱者が操作画面を介して画像データに対する各種設定を行う場合であっても、アクセシビリティ（利用しやすさの度合い）を高めることが可能な画像受付装置および画像受付処理プログラムを提供することを目的とする。
【課題を解決するための手段】
【０００６】
第１の発明に係る画像受付装置は、画像データを表示する画像領域と、画像データに対して所定の処理を実行するための操作領域と、によって形成されている操作画面を介して画像データの処理に関する各種設定を受け付ける画像受付装置であって、表示部と、変換領域特定部と、表示制御部と、を備えている。表示部は、操作画面を表示する。変換領域特定部は、操作画面において色弱者用表示に変換する所定の領域を特定する。表示制御部は、所定の領域を色弱者用表示に変換した操作画面を生成し、表示部に表示させる。
【０００７】
ここでは、表示制御部が、表示画面に表示される操作画面のうち所定の領域のみを色弱者用表示に変換している。
なお、ここでいう画像データの処理に関する各種設定には、例えば、プリント枚数の設定や画像補正等を含む。また、色弱者用表示とは、例えば、グレースケール表示や赤緑色覚障害者（いわゆる、Ｐ型色覚）用表示等がある。
【０００８】
従来、色弱者用表示をする装置として、券売機やＡＴＭ等が一般的である。そして、そのような従来の装置においては、操作画面全体を色弱者用表示としている。ところが、例えば、写真プリント装置のように写真画像を扱う装置においては、完成プリント（出力プリント）における色合いを確認したいという要望があるため、操作画面全体を色弱者用表示に変更することは好ましくない。
【０００９】
そこで、本発明の画像受付装置においては、操作画面における所定の領域のみを色弱者用表示に変換している。例えば、表示部に表示する操作画面のうち、画像データに対する各種設定操作を行う操作領域のみを色弱者用表示に変換し、画像データを表示する領域については、色弱者用表示に変換することなく通常の表示を行う。
これにより、色弱者に対して確実に識別性を提供しなくてはならない領域のみを色弱者用表示に変換することができる。上述の例のように画像データに対する各種設定操作を行う操作領域のみを色弱者用表示に変換すれば、色弱者は、各種設定操作を確実に行うことができるとともに、各種設定が行われる画像データそのものの色合い、すなわち、画像データの再現性を確認することが可能となる。
この結果、色弱者が操作画面を介して画像データに対する各種設定を行う場合であっても、アクセシビリティ（利用しやすさの度合い）を高めることが可能となる。
【００１０】
第２の発明に係る画像受付装置は、第１の発明に係る画像受付装置であって、所定の領域は、操作領域である。
ここでは、画像データを表示する画像領域と、画像領域以外の画像データに対して所定の処理を実行するための操作領域と、によって形成されている操作画面のうち、操作領域のみを色弱者用表示に変換している。
【００１１】
なお、ここでいう操作領域とは、操作者が画像データに対して各種設定をするためのボタン、テキストボックス、または、操作を行うにあたってのガイダンス表示等を含んでいる。
これにより、色弱者は、画像データに対する各種設定操作を確実に行うことができるとともに、各種設定が行われる画像データそのものの色合い、すなわち、画像データの再現性を確認することが可能となる。
この結果、色弱者に対してアクセシビリティを高めることが可能となる。
【００１２】
第３の発明に係る画像受付装置は、第１または第２の発明に係る画像受付装置であって、所定の領域を操作領域とする色弱者モードと、所定の領域を操作画面全体とする全画面色弱者モードと、操作画面において色弱者用表示をしない通常モードと、を選択可能にする表示モード選択部を、さらに備えている。
【００１３】
ここでは、表示モード選択部によって、操作画面のうち画像領域以外について色弱者用表示を行う「色弱者モード」と、画像領域を含めて操作画面全体について色弱者用表示を行う「全画面色弱者モード」と、色弱者用表示を行わない「通常モード」と、を選択可能としている。
これにより、操作者が必要に応じて、あるいは、好みに応じて、表示部に表示される操作画面の表示状態を選択することが可能となる。
【００１４】
第４の発明に係る画像受付装置は、第１から第３の発明のいずれか１つに係る画像受付装置であって、色弱者用表示とは、グレースケール表示である。
ここでは、色弱者用表示の一つとして、白から黒までの明暗だけで表現し、色の情報を含まないグレースケール表示を適用している。
これにより、色の情報を含まないで操作画面を形成することが可能となるので、色弱者が、色情報によって操作画面を識別できないという可能性を排除することが可能となる。
【００１５】
第５の発明に係る画像受付装置は、第１から第４の発明のいずれか１つに係る画像受付装置であって、色弱者用表示で表示される色について調整可能な表示色調整部をさらに備えている。
ここでは、色弱者用表示における色の調整を行うことができる。
なお、ここでいう色についての調整には、濃度、明度、彩度等の調整を含んでいる。
ここで、一般的に、操作画面の見え方には個人差による違いがある。
これにより、操作画面の色について個々に調整することができるので、操作者にとって最良の表示（最も見やすい表示）をすることが可能となる。
【００１６】
第６の発明に係る画像受付装置は、第１から第５の発明のいずれか１つに係る画像受付装置であって、画像データに対してテンプレートを合成する画像合成部をさらに備えている。そして、所定の領域は、画像領域に表示される画像合成部によって合成された画像データにおけるテンプレート部分を含む。
ここでは、画像合成部によってテンプレートと合成された画像データが操作画面に表示される場合、画像データのうちテンプレートの部分も色弱者用表示に変換している。
【００１７】
なお、ここでいうテンプレートとは、画像データと合成するためのフレーム等の画像であって、画像データに合成することによって容易にポストカード、名刺、カレンダー等をプリントすることができる。
これにより、一般的に色の区別がつきにくい人工色のテンプレートを確実に識別することが可能となる。
【００１８】
第７の発明に係る画像受付処理プログラムは、操作画面を介して画像データの処理に関する各種設定を受け付ける画像受付処理をコンピュータに実行させる画像受付処理プログラムであって、第１のステップから第３のステップを備えている。第１のステップは、操作画面において色弱者用表示に変換する所定の領域を特定する。第２のステップは、所定の領域を色弱用表示に変換した操作画面を生成する。第３のステップは、第２のステップによって生成された操作画面を表示部に表示させる。
【００１９】
ここでは、第２のステップが、表示画面に表示される操作画面のうち所定の領域のみを色弱者用表示に変換している。
なお、ここでいう画像データの処理に関する各種設定には、例えば、プリント枚数の設定や画像補正等を含む。また、色弱者表示とは、例えば、グレースケール表示や赤緑色覚障害者（いわゆる、Ｐ型色覚）用表示等がある。
【００２０】
従来、色弱者用表示をする装置として、券売機やＡＴＭ等が一般的である。そして、そのような従来の装置においては、操作画面全体を色弱者用表示としている。ところが、例えば、写真プリント装置のように写真画像を扱う装置においては、完成プリント（出力プリント）における色合いを確認したいという要望があるため、操作画面全体を色弱者用表示に変更することは好ましくない。
【００２１】
そこで、本発明の画像受付処理プログラムにおいては、操作画面における所定の領域のみを色弱者用表示に変換している。例えば、表示部に表示する操作画面のうち、画像データに対する各種設定操作を行う操作領域のみを色弱者用表示に変換し、画像データを表示する領域については、色弱者用表示に変換することなく通常の表示を行う。
これにより、色弱者に対して確実に識別性を提供しなくてはならない領域のみを色弱者用表示に変換することができる。上述の例のように画像データに対する各種設定操作を行う操作領域のみを色弱者用表示に変換すれば、色弱者は、各種設定操作を確実に行うことができるとともに、各種設定が行われる画像データそのものの色合い、すなわち、画像データの再現性を確認することが可能となる。
【００２２】
この結果、色弱者が操作画面を介して画像データに対する各種設定を行う場合であっても、アクセシビリティ（利用しやすさの度合い）を高めることが可能となる。
【発明の効果】
【００２３】
本発明に係る画像受付装置によれば、色弱者が操作画面を介して画像データに対する各種設定を行う場合であっても、アクセシビリティ（利用しやすさの度合い）を高めることが可能となる。
【発明を実施するための最良の形態】
【００２４】
本発明の一実施形態に係るプリント注文受付システム１について、図１〜図１５を用いて説明すれば以下の通りである。
［プリント注文受付システム１全体の構成］
本発明の一実施形態に係るプリント注文受付システム１は、図１に示すように、受付端末機（画像受付装置）２と、写真プリント装置５とによって構成されており、受付端末機２と写真プリント装置５とは互いにネットワーク８によって通信可能に接続されている。
【００２５】
本実施形態のプリント注文受付システム１は、ＤＰ店における既設の写真プリント装置５に、ネットワーク８と２台の受付端末機２とを追加することにより構築されたものである。そして、本実施形態のプリント注文受付システム１では、顧客自らが操作者となって注文を行う。具体的には、操作者は、デジタルの写真画像データが記憶保存された記録媒体Ｍ１（以下、メディアと示す）を受付端末機２におけるメディアドライブ２４（図２参照）にセットする。次に、表示手段としてのディスプレイ２２（図２参照）に表示される操作画面に対して、プリント注文を行うための入力操作を行う。これにより、プリント注文に必要な項目（プリント枚数や画像補正情報等）が受け付けられ、その注文情報が写真プリント装置５に送信される。写真プリント装置５は、受付端末機２から送信されてくる注文情報に基づいて、印画紙Ｐに画像データのプリントを行う。
【００２６】
そして、操作者のプリント注文終了後に、受付端末機２によって受付証ｒｅ（図２参照）がプリント発行される。操作者は、受付端末機２において入力した注文情報に基づいてプリントされた仕上がりプリントｐを、この受付証ｒｅと引き替えにＤＰ店の店員から貰うことができる。
なお、メディアＭ１の具体例としては、スマートメディア、コンパクトフラッシュ（登録商標）、メモリスティック（登録商標）、メディアのアタッチメントとして機能するＰＣカード、操作者自身が画像データを保存したＣＤ−ＲＯＭやＭＯ等が挙げられる。
【００２７】
［受付端末機２の構成］
受付端末機２は、図２に示すように、筐体２１と、液晶型のディスプレイ（表示部）２２とを備えている。
ディスプレイ２２は、筐体２１の上面に配置されている。そして、ディスプレイ２２は、画像表示面に入力手段としてのタッチパネル２３が形成されている。タッチパネル２３は、操作者が接触して入力操作することにより入力操作信号を出力するように構成されているとともに、その操作者が接触する部分によって異なる入力操作信号を出力するようになっている。
【００２８】
筐体２１の前面には、各メディアドライブ２４にメディアＭ１をセットするための挿入口と、受付証ｒｅを発行するための熱転写式の受付証プリンタ２５が設けられている。
筐体２１の内部には、制御手段としてのコントローラ２０およびデータ格納部としてのハードディスク２６が内蔵されている。
コントローラ２０の機能は、ネットワーク機能を有する汎用コンピュータと実質的に同様であり、複数のメディアドライブ２４およびタッチパネル２３との情報のやりとり、操作者のタッチパネル２３による入力操作に基づいて、操作画面の生成、写真プリント装置５によるプリント出力に用いられる注文情報の作成、ハードディスク２６への格納管理、受付証プリンタ２５等の制御を行う。
【００２９】
コントローラ２０は、図３に示すように、ＣＰＵ２７と、作業領域が形成されるＲＡＭ型の半導体メモリや、プログラムやパラメータが保存されるＲＯＭ型の半導体メモリの総称としてのメモリ２８を有している。また、コントローラ２０は、ＲＯＭに格納された画像受付処理プログラムＰＧをＲＡＭに読み込むことにより、図４に示すように、画像情報処理部３１と、表示モード選択部３２と、変換領域特定部（第１のステップ）３３と、表示制御部（第２，３のステップ）３４と、表示色調整部３５と、画像合成部３６と、注文情報処理部３７と、受付証発行処理部３８と、を備えた機能ブロックを形成する。そして、上記機能ブロックは、コントローラ２０によって実行可能な状態となる。
【００３０】
画像情報処理部３１は、メディアドライブ２４に挿入されたメディアＭ１から読み出した画像データ（ＪＰＥＧやＴＩＦＦ等）をサムネイル形式（以下、サムネイル画像Ｓと示す）でディスプレイ２２に操作画面として表示するように機能する。画像情報処理部３１は、メディアＭ１にサムネイル画像Ｓが含まれる場合には、サムネイル画像Ｓの表示を行い、サムネイル画像Ｓが存在しない場合には、オリジナルの画像データからサムネイル画像Ｓを生成してディスプレイ２２に表示する。
【００３１】
表示モード選択部３２は、グレースケール表示にする領域を設定しない「通常モード」と、操作領域のみをグレースケール表示にする「くっきりモード（色弱者モード）」と、操作画面全体（操作領域および画像領域）をグレースケール表示にする「全画面くっきりモード（全画面色弱者モード）」と、を選択可能にする。表示モード選択部３２による具体的な表示モードの選択方法は、後段にて詳述する。
【００３２】
ここで、操作領域とは、操作画面における画像領域以外の領域、すなわち、プリント注文受付システム１を操作する各種操作ボタンや操作の説明等をするガイダンス表示等が含まれる。具体的に説明すると、メディアＭ１から読み出した画像が表示されない図７〜図１０の各操作画面においては、画面全体を操作領域という。また、メディアＭ１から読み出した画像を表示する図１０においては、サムネイル画像Ｓが表示されている領域を画像領域といい、サムネイル画像Ｓ以外の領域を操作領域という。
【００３３】
変換領域特定部３３は、表示モード選択部３２の選択に基づいて、操作画面においてグレースケール表示にする領域を設定する。具体的には、表示モード選択部３２において、「くっきりモード」が選択された場合には、操作領域をグレースケール表示する領域として設定する。「全画面くっきりモード」が選択された場合には、操作画面全体をグレースケール表示する領域として設定する。「通常モード」が選択された場合には、グレースケール表示にする領域を設定しない（グレースケール表示の設定を解除する）。また、画像領域が後述する画像合成部３６によってテンプレートＴＰと合成された画像データが表示される場合には、テンプレートＴＰの画像部分もグレースケール表示する領域として設定する。
【００３４】
表示制御部３４は、操作者にメディアドライブ２４によって読み出される画像データのプリント注文を行うための入力操作を促す複数の操作画面をディスプレイ２２に表示する。この操作画面には、メディアＭ１から読み出した画像データ（サムネイル画像Ｓ）を表示する画像領域と、各種命令を入力するボタンや、プリント枚数等を入力するボタン等の操作領域等が含まれている。そして、変換領域特定部３３によって設定される所定の領域をグレースケール表示に変換する。
【００３５】
表示色調整部３５は、表示制御部３４によってグレースケール表示がされた場合のディスプレイ２２への表示濃度（色合い）を赤（Ｒ）、緑（Ｇ）、青（Ｂ）ごとに調整する。表示色調整部３５による具体的な濃淡の調整方法については、後段にて詳述する。
画像合成部３６は、メディアＭ１から読み出した画像データと、ハードディスク２６に記憶されているテンプレートＴＰとを合成する。ハードディスク２６に記憶されているテンプレートＴＰには、カレンダー用、ポストカード用、名刺用等があり、画像データと合成することによって所望の画像に加工することができる。
【００３６】
注文情報処理部３７は、操作者の入力操作により設定されたプリントサイズや、プリント対象の画像データ、そのプリント枚数等から注文情報を作成し、注文番号等を付してハードディスク２６に記憶させる。
受付証発行処理部３８は、操作者のプリント注文終了後に、注文の明細、端末ＩＤおよび注文ＩＤ等を受付証プリンタ２５でプリントして受付証ｒｅとして出力するように機能する。そして、この受付証ｒｅは、サービスカウンターにおいて仕上がりプリントｐと交換するために使用される。
【００３７】
上記に示した機能ブロックによって、操作者の入力操作の内容に応じてプリント注文に必要な全ての項目を設定するとともに、この設定された項目によりプリント対象の画像データを含む注文情報を作成する。そして、注文情報をハードディスク２６に保存し、かつ、受付証プリンタ２５により受付証ｒｅをプリント発行し、写真プリント装置５へ注文情報を転送する。
【００３８】
なお、受付端末機２のコントローラ２０は、写真プリント装置５とＬＡＮ（Local Area Network）接続され、ＴＣＰ／ＩＰ形式のプロトコルで互いに情報のアクセスを行えるよう構成されている。
［写真プリント装置５の構成］
写真プリント装置５は、記録シートとしての銀塩式の印画紙Ｐに画像データのプリントを行うデジタル型の写真プリント装置であって、図１，図５に示すように、操作ステーション６とプリントステーション７とを備えている。
【００３９】
（操作ステーション６の構成）
操作ステーション６は、図１に示すように、デスク上に配置された、フィルムスキャナ６１と、メディアリーダ６２と、モニタ６３と、キーボード６４と、マウス６５と、パソコンＰＣとを有している。
フィルムスキャナ６１は、写真フィルムＦに現像された撮影コマに対応する画像を画像データとして取り込む。
【００４０】
メディアリーダ６２は、写真プリントシステム５のコントローラ（図示せず）として機能するパソコンＰＣに搭載されており、デジタルカメラ等で撮影された画像データをメモリカードや各種半導体メモリ、ＣＤ−Ｒ等のメディアから取り込む。
パソコンＰＣは、受付端末機２、プリントステーション７、フィルムスキャナ６１、モニタ６３、キーボード６４およびマウス６５と接続されている。
【００４１】
（プリントステーション７の構成）
プリントステーション７は、図５に示すように、内部に２つの印画紙マガジン７１と、シートカッター７２と、バックプリント部７３と、プリント露光部７４と、処理槽ユニット７５と、コンベア７６と、ソータ７７（図１参照）と、印画紙搬送機構７８とを有している。
【００４２】
２つの印画紙マガジン７１は、プリントステーション７の内部においてロール状の印画紙Ｐを１つずつ収納しており、印画紙搬送機構７８によって適宜必要な量の印画紙Ｐが引き出される。
シートカッター７２は、印画紙搬送機構７８の一部と隣接するように配置されており、印画紙マガジン７１から引き出された印画紙Ｐをプリントサイズに切断する。
【００４３】
バックプリント部７３は、シートカッター７２の下流側であって印画紙搬送機構７８と隣接する位置に配置されており、プリントサイズに切断された印画紙Ｐの裏面側に、色補正情報やコマ番号等のプリント処理情報をプリント処理する。
プリント露光部７４は、バックプリント部７３の下流側における印画紙搬送機構７８に隣接するように配置されており、プリントサイズに切断された印画紙Ｐの表面に対して、プリントする撮影画像の露光を行う。また、プリント露光部７４には、副走査方向に搬送される印画紙Ｐに対して主走査方向に沿ってＲＧＢの３色のレーザ光線を照射する図示しないライン露光ヘッドを有している。
【００４４】
処理槽ユニット７５は、プリント露光部７４の下流側に配置されており、発色現像処理液を貯留する発色現像槽７５ａ、漂白定着処理液を貯留する漂白定着槽７５ｂ、安定処理液を貯留する安定処理層７５ｃを有している。そして、露光後の印画紙Ｐがこれらの各処理槽７５ａ〜７５ｃをこの順で経由しながら印画紙搬送機構７８によって搬送されることで、所望の写真プリント画像が印画紙Ｐの表面に形成される。
【００４５】
コンベア７６は、プリントステーション７の上部に露出しており、写真プリント画像が表面に形成されて乾燥処理後に排出された印画紙Ｐをソータ７７（図１参照）の方向へ搬送する。
ソータ７７は、プリントステーション７の前面側に鉛直方向に複数のトレイを並べた状態で配置されており、コンベア７６によって搬送されるプリント済の印画紙Ｐを、オーダ単位で各トレイに振り分ける（図１参照）。
【００４６】
印画紙搬送機構７８は、プリントステーション７の内部において、印画紙マガジン７１に収容されたロール状の印画紙Ｐを引き出すとともに、プリントサイズに切断された印画紙Ｐを、印画紙Ｐに対して行われる様々な処理に対応した搬送速度で搬送する。また、印画紙搬送機構７８は、印画紙Ｐの搬送方向におけるプリント露光部７４の上流側および下流側にそれぞれ配置されたチャッカー式搬送ユニット７８ａと、複数の挟持搬送ローラ対７８ｂとを有している。
【００４７】
［受付端末機２における受付処理］
次に、受付端末機２におけるコントローラ２０による基本的な受付処理を処理順序に沿って説明する。図６は、この処理の概要を示すフローチャートである。
ステップＳ１は、受付端末機２の待機状態であって、表示制御部３４は、初期画面として、例えば、図７に示すように、受付端末機２の機能やＤＰ店のロゴマーク等を含む「待機画面」をディスプレイ２２に表示させている。この「待機画面」には、「画面に触れてください」とのメッセージと共に、表示モードを選択する画面に遷移するための表示モード選択ボタン４９が表示されている。そして、操作者が、表示モード選択ボタン４９以外の領域を触れることによってステップＳ２へ進み、表示モード選択ボタン４９を触れることによって、図１１に示すステップＳ２１へと進む。なお、表示モード選択ボタン４９操作後の処理については後段にて詳述する。
【００４８】
ステップＳ２においては、表示制御部３４は、最初の操作画面として、例えば、図８に示すような「サービス選択画面」をディスプレイ２２に表示させる。この画面には、「サービスを選択してください」とのメッセージと共に、プリント注文の受付を行わせるプリント受付ボタン４０と、メディア保存受付を行わせるメディア保存受付ボタン４１と、表示モードを選択する画面に遷移するための表示モード選択ボタン４９と、が表示されている。
【００４９】
そして、操作者が、「サービス選択画面」におけるプリント受付ボタン４０を接触操作した場合には、ステップＳ３へ進む。一方、操作者がメディア保存受付ボタン４１を接触操作した場合には、メディアＭ１に保存された画像データを、写真プリント装置５に転送して、写真プリント装置５においてＣＤ−ＲやＭＯに保存する処理が行われる。なお、以降の処理は、後述するプリント注文の受付処理と基本的に同じ処理であるのでここでは詳述しない。また、操作者が表示モード選択ボタン４９を触れることによってステップＳ１と同様にステップＳ２１へと進む。
【００５０】
ステップ３においては、表示制御部３４は、次の操作画面として、例えば、図９に示すような「メディア選択画面」をディスプレイ２２に表示させる。この「メディア選択画面」には、「メディアを選択してください」とのメッセージと共に、複数のメディアボタン４４，４４，…と、表示モードを選択する画面に遷移するための表示モード選択ボタン４９と、が表示されている。そして、操作者が、この入力操作の後、メディアドライブ２４にセットするメディアＭ１に対応するメディアボタン４４を触れることによってステップＳ４へ進み、表示モード選択ボタン４９を触れることによってステップＳ１と同様にステップＳ２１へと進む。
【００５１】
なお、「メディア選択画面」の下側には、処理を中止するための中止ボタン４２と、表示中の操作画面（ここでは「メディア選択画面」）の１つ前に表示された操作画面（ここでは「サービス選択画面」）に戻るための戻るボタン４３とが表示されている。そして、これらの中止ボタン４２および戻るボタン４３は、後述の各操作画面においても同様の位置に表示され、ボタン接触操作により同様に機能する。
【００５２】
ステップＳ４においては、表示制御部３４は、次の操作画面として、「メディアセット案内画面」（図示せず）をディスプレイ２２に表示させる。この画面には、「メディアをセットして、ＯＫボタンを押してください」とのメッセージと共に、表示モードを選択する画面に遷移するための表示モード選択ボタン４９、そして、ステップＳ３において操作者が選択したメディアＭ１をセットする際の具体的な画像が表示されている。そして、操作者がメディアドライブ２４にメディアＭ１をセットし、ＯＫボタン（図示せず）を操作することで、ステップＳ５へ進む。また、表示モード選択ボタン４９が操作されることによって、ステップＳ１と同様にステップＳ２１へと進む。
【００５３】
ステップ５においては、画像情報処理部３１が、メディアＭ１から画像データを読み出し、その後、ステップＳ６へ進む。
ステップＳ６においては、表示制御部３４は、次の操作画面として、「プリントサイズ選択画面」（図示せず）をディスプレイ２２に表示させる。この画面には、「プリントサイズを選択してください」とのメッセージと共に、複数のプリントサイズに対応したサイズ指定ボタンと、表示モードを選択する画面に遷移するための表示モード選択ボタンと、が表示されている。サイズ指定ボタンには、プリントサイズを示す「Ｌ版」や「２Ｌ版」等の文字の他に、プリントサイズを示す数値と、プリントの単価と、プリントの基本料金とがそれぞれ表示される。そして、操作者がいずれか１つのサイズ指定ボタンを操作すると、注文情報処理部３７は、その入力操作されたプリントサイズをメモリ２８に記憶させる。その後、ステップＳ７へ進んで、次の処理を実行する。また、表示モード選択ボタンが操作されることによって、ステップＳ１と同様にステップＳ２１へと進む。
【００５４】
ステップＳ７において、表示制御部３４は、次の操作画面として、例えば、図１０に示すような「プリント枚数設定画面」をディスプレイ２２に表示させて、操作者に、プリント対象の画像データの選択、プリント枚数の設定および必要に応じて画像の補正を行わせる。この画面には、「プリント枚数を設定してください」とのメッセージと、表示モードを選択する画面に遷移するための表示モード選択ボタン４９と、メディアＭ１から読み出された複数の画像データに対するサムネイル画像Ｓと、が表示されている。なお、本実施形態においては、８つのサムネイル画像Ｓが１ページ分として表示される。そして、表示モード選択ボタン４９が操作されることによって、ステップＳ１と同様にステップＳ２１へと進む。
【００５５】
また、「プリント枚数設定画面」における各サムネイル画像Ｓを含むフレーム４６の上段には、画像データを特定するファイルの名称、ファイルの種類を示す拡張子およびデータサイズが表示されている。また、フレーム４６の下段には、プリント枚数を示す数値を表示するプリント枚数表示エリア４７が形成され、かつ、このプリント枚数表示エリア４７を互いに挟む位置にプリント枚数を１枚ずつ増加させるプラスボタン４７ａと、プリント枚数を１枚ずつ減少させるマイナスボタン４７ｂとが表示されている。さらにまた、プリント枚数表示エリア４７の下側には、画像の補正を行うべく図示しない「画像補正画面」へ遷移する補正ボタン４７ｃが表示されている。
【００５６】
プリント枚数表示エリア４７にプリント枚数として表示される数値は、初期状態においては「０」である。そして、プラスボタン４７ａが操作されると、その画像のプリント枚数が１増加し、マイナスボタン４７ｂが操作されると、その画像データのプリント枚数が１減少し、その設定枚数がプリント枚数表示エリア４７に表示される。
また、「プリント枚数設定画面」の画面下側には、中止ボタン４２と、画像データの表示順序を逆転させる表示順逆転ボタン４６ａと、全てのプリント枚数を１枚ずつ増加させる全体プラスボタン４６ｂと、全てのプリント枚数を１枚ずつ減少させる全体マイナスボタン４６ｃと、注文を完了する（ここでは、注文情報を作成するための注文の完了を意味し、操作者の注文が完全に完了するのは、後述の「メディア取り出し案内画面」におけるＯＫボタンを操作したときである）ＯＫボタン４５と、現在表示中のページから１つ前に表示されたページを表示させる（最初のページの表示中に操作したときには、上記「プリントサイズ選択画面」に戻る）戻るボタン４６ｄと、次のページを表示させる進むボタン４６ｅとが表示されている。そして、全体プラスボタン４６ｂと全体マイナスボタン４６ｃとの間には、ページを示す数字（全ページを示す数字および現在表示されているページを示す数字）が表示されている。さらに、画面下側の中央位置には、情報エリアＤＥが表示されている。この情報エリアＤＥには、選択されたプリントサイズの情報、設定されたプリント合計枚数、選択された画像数、プリント１枚の単価およびプリントに要する合計金額が表示される。
【００５７】
表示順逆転ボタン４６ａを操作することによって、画像データをファイル名の昇順と降順とを切り替えて表示することができる。表示順逆転ボタン４６ａは、降順で表示するための降順ボタンと昇順で表示するための昇順ボタンとの２つのボタンからなり、画像データが降順で表示されている際には、昇順ボタンは「昇順で表示」と表示されて、操作可能なボタンとして機能し、降順ボタンは「降順で表示中」と表示されて現在の表示順を示す表示欄として機能する。一方、画像データが昇順で表示されている際には、降順ボタンは「降順で表示」と表示されて操作可能となり、昇順ボタンは「昇順で表示中」と表示されて現在の表示順を示す表示欄として機能する。
【００５８】
また、操作者が、全体プラスボタン４６ｂを操作することによって、画面に表示されない画像も含めて全ての画像データのプリント枚数が１増加され、全体マイナスボタン４６ｃを操作することで、画面に表示されない画像も含めて全ての画像データのプリント枚数が１減少される。
「プリント枚数設定画面」においては、各サムネイル画像Ｓのフレーム４６の補正ボタン４７ｃを操作することによって、表示制御部３４は、操作画面として、図示しない「画像補正画面」をディスプレイ２２に表示させる。操作者は、この画面で各画像の色や濃度、トリミング位置、大きさ等を補正することができる。なお、この「画像補正画面」においても、画面左下に表示モードを選択する画面に遷移するための表示モード選択ボタン４９が表示されている。そして、表示モード選択ボタン４９が操作されることで、ステップＳ１と同様にステップＳ２１へと進む。
【００５９】
操作者が、プリント対象の画像データを選択し、かつ、プリント枚数を設定し、必要に応じて画像データを補正した後、「プリント枚数設定画面」におけるＯＫボタン４５を接触操作することで、注文情報処理部３７は、プリント対象の画像データ、そのプリント枚数および画像補正の設定内容、ならびにメモリ２８に記憶されたプリントサイズから注文情報を作成し、この注文情報をメモリ２８に記憶する。すなわち、ステップＳ７において「プリント枚数設定画面」をディスプレイ２２に表示させた後、ステップＳ８において、「プリント枚数設定画面」中で補正ボタン４７ｃ、または、ＯＫボタン４５が操作されたか否かを判定する。そして、補正ボタン４７ｃが操作された場合には、ステップＳ９へ進んで、上述したように「画像補正画面」を表示させ、この「画像補正画面」におけるＯＫボタン、または、戻るボタンを操作すると、再びステップＳ７へ戻って「プリント枚数設定画面」を表示させる。こうして、プリント枚数の設定および画像補正が完了するまでステップＳ７〜ステップＳ９の処理を繰り返し、「プリント枚数設定画面」におけるＯＫボタン４５が操作されると、ステップＳ８からステップＳ１０へと進む。
【００６０】
ステップＳ１０においては、表示制御部３４は、次の操作画面として、図示しない「名前入力画面」をディスプレイ２２に表示させる。この画面には、「名前を入力してください」とのメッセージが表示されると共に、表示モードを選択する画面に遷移するための表示モード選択ボタン、名前表示部とキーボードとを有した入力ボードが表示され、キーボードに接触して名前を入力する。そして、注文情報処理部３７は、入力された名前を操作者情報としてメモリ２１に記憶する。また、表示モード選択ボタン４９が操作されることによって、ステップＳ１と同様にステップＳ２１へと進む。
【００６１】
ステップＳ１１においては、表示制御部３４は、次の操作画面として、図示しない「電話番号入力画面」をディスプレイ２２に表示させる。この画面には、「電話番号を入力してください」とのメッセージが表示されると共に、表示モードを選択する画面に遷移するための表示モード選択ボタン、数字ボードが表示され、数字ボードに接触して電話番号を入力する。そして、注文情報処理部３７は、入力された電話番号を操作者情報としてメモリ２８に記憶する。その後、ステップＳ１２へと進む。また、表示モード選択ボタン４９が操作されることによって、ステップＳ１と同様にステップＳ２１へと進む。
【００６２】
なお、本実施形態では、上記のような操作者の名前や電話番号の入力操作は、プリント注文を行う上で必須の入力操作ではないので、これらの操作者情報の入力操作がない場合でも次の処理に移行できるような処理形態にすることもできる。
ステップＳ１２においては、表示制御部３４は、次の操作画面として、図示しない「注文内容確認画面」をディスプレイ２２に表示させる。この画面には、「注文の内容を確認してください」とのメッセージが表示されると共に、表示モードを選択する画面に遷移するための表示モード選択ボタン、メモリ２８に記憶された注文情報の詳細とそのプリント料金との一覧表が表示される。そして、操作者が「注文内容確認画面」におけるＯＫボタンを操作することによって、プリント注文に必要な全ての項目が完全に設定されたこととなり、次のステップＳ１３へと進む。また、表示モード選択ボタン４９が操作されることによって、ステップＳ１と同様にステップＳ２１へと進む。
【００６３】
ステップＳ１３においては、ステップＳ１２において設定された注文情報を写真プリント装置５へ送信する。写真プリント装置５は、注文情報を受信すると、その内容に従ってプリントを実行する。
ステップＳ１４においては、表示制御部３４は、次の操作画面として、図示しない「メディア取り出し案内画面」をディスプレイ２２に表示させる。この画面には、「メディアを取り出してください」とのメッセージが表示される。操作者は、この表示に従いメディアＭ１を取り出し、ＯＫボタン（図示せず）を操作することで、ステップＳ１５へ進む。
また、「メディア取り出し案内画面」においても、画面左下に表示モードを選択する画面に遷移するための表示モード選択ボタンが表示されている。そして、表示モード選択ボタン４９が操作されると、ステップＳ１と同様にステップＳ２１へと進む。
【００６４】
ステップＳ１５においては、表示制御部３４は、例えば、図示しない「受付証発行案内画面」をディスプレイ２２に表示させる。この画面には、「受付証を発行中です。しばらくお待ちください。」および「受付証はカウンターに持参してください。」とのメッセージが表示される。そして、一定時間が経過すると、ステップＳ１６へ進む。
ステップＳ１６においては、受付証発行処理部３８によって受付証ｒｅがプリントされる。このように受付証ｒｅが発行されると、受付処理の全てが終了して待機画面に復帰する。受付証ｒｅは、受付証本体とお客様控えとが連なった形態となっており、お客様名、電話番号、受付ＩＤ、端末ＩＤ、受付日、注文番号等の他に注文の詳細を示す内容等がプリントされている。操作者は、店頭の受付において、受付証ｒｅと引き替えに写真プリントを交換する。
【００６５】
［受付端末機２における色弱者用表示制御］
ここでは、上述した一連の受付処理において表示される「待機画面」、「サービス選択画面」、「メディア選択画面」、「メディアセット案内画面」、「プリントサイズ選択画面」、「プリント枚数設定画面」、「画像補正画面」、「名前入力画面」、「電話番号入力画面」、「注文内容確認画面」、「メディア取り出し案内画面」のそれぞれ画面左下に配置されている表示モード選択ボタン４９を操作した場合の処理について、図１１〜図１５を用いて説明すれば以下のとおりである。
【００６６】
上述の各画面において表示モード選択ボタン４９が操作されると、図１１に示すステップＳ２１に移行して、表示制御部３４は、例えば、図１２に示すような「表示モード選択画面」をディスプレイ２２に表示させる。この画面には、「表示モードを選択して下さい」とのメッセージと共に、３つのモード（「通常モード」、「くっきりモード」、「全画面くっきりモード」）をそれぞれ選択するためのモード選択ボタン５１ａ，５１ｂ，５１ｃおよび戻るボタン５２が表示されている。戻るボタン５２が操作されると、「表示モード選択画面」に遷移する前の操作画面に戻る。なお、「表示モード選択画面」は、色弱者の人が確実に操作画面を識別できるようにグレースケール表示がされている。
【００６７】
ここで、「くっきりモード」を選択するボタン５１ｂが操作されるとステップＳ２２に移行し、「全画面くっきりモード」を選択するボタン５１ｃが操作されるとステップＳ２５に移行し、「通常モード」を選択するボタン５１ａが操作されるとステップＳ２８に移行する。
ステップＳ２２においては、グレースケール表示にする領域を操作領域に設定する。具体的には、変換領域特定部３３がグレースケール表示する領域を操作領域に特定できるように、ステップＳ２１で選択された内容をメモリ２８に記憶する。
【００６８】
ステップＳ２３においては、表示制御部３４は、例えば、図１３に示すような「濃淡表示調整画面」をディスプレイ２２に表示させる。この画面には、「各色の濃淡を調整して下さい」とのメッセージと共に、赤（Ｒ）、緑（Ｇ）、青（Ｂ）の各色の濃淡を調整するためのスライドバー５４と、表示イメージウィンドウ５５と、戻るボタン５６と、ＯＫボタン５７とが表示されている。
【００６９】
スライドバー５４は、各色をグレースケール表示した場合の濃淡を調整するためのインタフェイスであって、各色に対応するスライドバー５４ｒ，５４ｇ，５４ｂの位置を左右に移動させることにより、各色の濃淡を調整することができる。例えば、色弱者の方が、グレースケール表示時の青色の表示をもう少し薄く表示したい場合には、スライドバー５４ｂを左側に移動させればよく、濃く表示したい場合には、スライドバー５４ｂを右側に移動させればよい。表示イメージウィンドウ５５は、スライドバー５４による濃淡の調整具合を確認するための表示イメージであって、スライドバー５４の移動と連動して表示されている画像の濃淡が変化する。これにより、色弱者は、グレースケール表示した場合の濃淡具合を実際に確認しながら、濃淡の調整をすることができる。そして、操作者がＯＫボタン５７を操作することによってステップＳ２４へ進む。
【００７０】
ステップＳ２４においては、表示制御部３４が、操作画面をグレースケール表示に変換すると共に、表示色調整部３５が、スライドバー５４によって調整された値に基づいてグレースケール表示された各色の濃淡を調整する。そして、表示制御部３４は、「表示モード選択画面」に遷移する前の操作画面に戻す。
ステップＳ２５は、ステップＳ２１において「全画面くっきりモード」を選択するボタン５１ｃが操作された場合のステップＳであって、グレースケール表示にする領域を操作領域に設定する。具体的には、変換領域特定部３３がグレースケール表示する領域を操作領域および画像領域に特定できるように、ステップＳ２１で選択された内容をメモリ２８に記憶する。
【００７１】
ステップＳ２６においては、表示制御部３４は、例えば、図１３に示すような「濃淡表示調整画面」をディスプレイ２２に表示させる。この画面には、「各色の濃淡を調整して下さい」とのメッセージと共に、赤（Ｒ）、緑（Ｇ）、青（Ｂ）の各色の濃淡を調整するためのスライドバー５４と、表示イメージウィンドウ５５と、戻るボタン５６と、ＯＫボタン５７とが表示されている。なお、ステップＳ２６における「濃淡表示調整画面」は、ステップＳ２３における「濃淡表示調整画面」と同じであるので、ここではその詳細の説明を省略する。そして、操作者によってＯＫボタン５７が操作されることによって、ステップＳ２７へ進む。
【００７２】
ステップＳ２７においては、表示制御部３４が、操作画面および画像領域をグレースケール表示に変換すると共に、表示色調整部３５が、スライドバー５４によって調整された値に基づいてグレースケール表示された各色の濃淡を調整する。そして、表示制御部３４は、「表示モード選択画面」に遷移する前の操作画面に戻す。
ステップＳ２８は、ステップＳ２１において「通常モード」を選択するボタン５１ａが操作された場合のステップＳであって、グレースケール表示にする領域を解除する。具体的には、変換領域特定部３３がグレースケール表示する領域を設定しないことを特定できるように、ステップＳ２１で選択された内容をメモリ２８に記憶する。
【００７３】
ステップＳ２９においては、表示制御部３４は、「表示モード選択画面」に遷移する前の操作画面に戻し、このとき、通常のカラー表示となるように制御する。
（テンプレート使用時の色弱者用表示）
ここでは、図１０のサムネイル画像Ｓ等の画像領域として表示される領域に、図１４に示すようなテンプレートと合成した画像（以下、合成画像と示す）Ｐｔｐを表示する場合の色弱者用表示について説明する。
【００７４】
合成画像Ｐｔｐは、図示しない「テンプレート選択画面」において生成が可能であって、操作者は、カレンダー用、ポストカード用、名刺用等、複数表示されたテンプレートＴＰの中から任意のテンプレートＴＰを選択することが可能である。なお、「テンプレート選択画面」は、例えば、「プリント枚数設定画面」から遷移させることができる。そして、画像合成部３６は、メディアＭ１から読み出した画像データＩＭと、「テンプレート選択画面」において選択されたテンプレートＴＰとを合成する。
【００７５】
ここで、画像合成部３６によってテンプレートと合成された画像は、例えば、図１０に示す「プリント枚数設定画面」のフレーム４６では、図１５に示すように表示される。そして、「くっきりモード」が選択されている場合、表示制御部３４は、サムネイル画像Ｓのうちテンプレート部分ＴＰを色弱者が識別可能な色合いの表示とし、画像データＩＭの部分は色弱者が識別可能な色合いの表示に変換することなく画像を表示する。これにより、色弱者が、一般的に色の区別がつきにくい人工色のテンプレートＴＰ部分を確実に識別することが可能となる。
【００７６】
［プリント注文受付システム１の特徴］
（１）
本実施形態のプリント注文受付システム１においては、変換領域特定部３３が、グレースケール表示にする領域を所定の領域（操作領域、操作領域および画像領域）に特定し、表示制御部３４が、上記所定の領域をグレースケール表示に変換してディスプレイ２２に表示している。
【００７７】
これにより、色弱者に対して確実に識別性を提供しなくてはならない領域のみを色弱者用表示に変換することができる。この結果、色弱者が操作画面を介して画像データに対する各種設定を行う場合であっても、アクセシビリティを高めることが可能となる。
（２）
本実施形態のプリント注文受付システム１においては、「くっきりモード」を選択した場合、変換領域特定部３３が、グレースケール表示にする領域を操作領域に特定し、表示制御部３４は、操作領域をグレースケール表示に変換してディスプレイ２２に表示している。
【００７８】
これにより、各種設定操作を確実に行うことができるとともに、各種設定が行われる画像データそのものの色合い、すなわち、画像データの再現性を確認することが可能となる。この結果、色弱者が操作画面を介して画像データに対する各種設定を行う場合であっても、アクセシビリティを高めることが可能となる。
（３）
本実施形態のプリント注文受付システム１においては、表示モード選択部３２が、グレースケール表示にする領域を設定しない「通常モード」と、操作領域のみをグレースケール表示にする「くっきりモード」と、操作画面全体（操作領域および画像領域）をグレースケール表示にする「全画面くっきりモード」と、を選択可能にしている。
【００７９】
これにより、操作者が必要に応じて、あるいは、好みに応じて、表示部に表示される操作画面の表示状態を選択することが可能となる。
（４）
本実施形態のプリント注文受付システム１においては、表示制御部３４が、変換領域特定部３３によって設定される所定の領域をグレースケール表示に変換している。
【００８０】
これにより、色弱者が、色情報によって操作画面を識別できないという可能性を排除することを可能としている。
（５）
本実施形態のプリント注文受付システム１では、表示色調整部３５が、濃淡表示調整画面において入力された値を基にグレースケール表示がされた場合のディスプレイ２２への表示濃度（色合い）を赤（Ｒ）、緑（Ｇ）、青（Ｂ）ごとに調整している。
【００８１】
これにより、個人差によって操作画面に見え方の違いがある場合であっても、個々に調整することができるので、操作者にとって最も見やすい表示にすることが可能となる。
（６）
本実施形態のプリント注文受付システム１では、画像合成部３６によってテンプレートと合成された画像を操作画面上に表示する場合、テンプレート部分ＴＰをグレースケール表示とし、画像データＩＭの部分はグレースケール表示に変換することなく画像を表示している。
【００８２】
これにより、色弱者が、一般的に色の区別がつきにくい人工色のテンプレートＴＰ部分を確実に識別することを可能としている。
［他の実施形態］
以上、本発明の一実施形態について説明したが、本発明は上記実施形態に限定されるものではなく、発明の要旨を逸脱しない範囲で種々の変更が可能である。
【００８３】
（Ａ）
上記実施形態のプリント注文受付システム１では、メモリ２８に格納された画像受付処理プログラムＰＧをコントローラ２０が実行することによって、図４に示す機能ブロックを構築する例を挙げて説明した。しかし、本発明はこれに限定されるものではない。
例えば、図４に示す機能ブロックは、複数のハードウェア、１つのハードウェアやコンピュータソフトウェア等の機能を組み合わせて構築してもよく、処理能力等に応じて適宜決めることができる。
【００８４】
（Ｂ）
上記実施形態のプリント注文受付システム１では、所定の領域を表示モードに応じて、「操作領域」と、「操作領域および画像領域（操作画面全体）」と、に設定する例を挙げて説明した。しかし、本発明はこれに限定されるものではない。
例えば、所定の領域を画像領域とは異なる操作領域のみに設定してもよい。
【００８５】
（Ｃ）
上記実施形態のプリント注文受付システム１では、色弱者用表示として色情報を使わないグレースケール表示を採用した例を挙げて説明した。しかし、本発明はこれに限定されるものではない。
例えば、赤緑色弱者（いわゆる、Ｐ型色覚）が識別できるような色合いに代替（赤色を青色に、青緑色を紫色に代替）しても、上記の実施形態に係るプリント注文受付システム１と同様の効果を得ることができる。
【００８６】
（Ｄ）
上記実施形態のプリント注文受付システム１では、表示色調整部３５が、グレースケール表示時における濃度を調整する例を挙げて説明した。しかし、本発明はこれに限定されるものではない。
例えば、赤緑色弱者（いわゆる、Ｐ型色覚）が識別できるような色合いに代替した場合には、各色の彩度や明度を調整してもよい。また、代替する色を調整するようにしてもよい。
【００８７】
（Ｅ）
上記実施形態のプリント注文受付システム１では、画像受付処理における一連の流れのどの段階においても表示モードが選択できる例、すなわち、各操作画面の左下に配置された表示モード選択ボタン４９から「表示モード選択画面」に遷移できる例を挙げて説明した。しかし、本発明はこれに限定されるものではない。
【００８８】
例えば、全ての操作画面に表示モード選択ボタン４９を配置するのではなく、一連の操作を始める最初の段階で表示モードを選択できるようにしてもよい。例えば、図６に示すフローチャートにおけるステップＳ１とステップＳ２との間に図１１に示すフローチャートの処理を挿入してもよい。これによれば、「待機画面」（図７参照）の次に、「表示モード選択画面」（図１２参照）が表示されるようになり、全ての操作者がこの「表示モード選択画面」を操作することとなる。そして、画像受付処理における一連の操作画面は、「表示モード選択画面」で選択された表示モードに従って表示されることとなる。
【００８９】
（Ｆ）
上記実施形態のプリント注文受付システム１では、２台の受付端末機２が写真プリント装置５とそれぞれ接続されている例を挙げて説明した。しかし、本発明はこれに限定されるものではない。
例えば、写真プリント装置と接続される受付端末機は１台であってもよく、３台以上であってもよい。
【００９０】
（Ｇ）
上記実施形態のプリント注文受付システム１では、受付端末機２と写真プリント装置５とをネットワーク８を介して通信可能に接続した構成を例に挙げて説明した。しかし、本発明はこれに限定されるものではない。
例えば、図１６に示すように、受付端末機（画像受付装置）８１と写真プリント部８２とが一体化された画像プリント装置８０であっても本発明を適用することができる。このように一体化された画像プリント装置８０は、上記受付端末機２の構成に加えて、図示しない記録紙マガジン、記録紙搬送機構、プリント部等を備えている。
【００９１】
（Ｈ）
上記実施形態のプリント注文受付システム１では、表示制御部３４がディスプレイ２２に表示する操作画面に対して、グレースケール表示する例を挙げて説明した。しかし、本発明はこれに限定されるものではない。
例えば、表示制御部が、ＷＷＷシステムを使用してディスプレイに表示される操作画面に対して、グレースケール表示等の色弱者用表示を行ってもよい。これによれば、インターネットを介してプリント注文等を受け付けるＷＥＢページにおいても、アクセシビリティを高めることが可能となる。
【産業上の利用可能性】
【００９２】
本発明によれば、表示部に表示される操作画面のアクセシビィリティを高めることが可能となるので、店頭等に設置されてユーザ自らが操作する各種端末装置への適用が特に有用である。
【図面の簡単な説明】
【００９３】
【図１】本発明の一実施形態に係るプリント注文受付システムの外観図。
【図２】図１のプリント注文受付システムに含まれる受付端末機の外観図。
【図３】図１のプリント注文受付システムにおける制御ブロック図。
【図４】図１のプリント注文受付システムにおいて形成される機能ブロック図。
【図５】図１のプリント注文受付システムに含まれるプリントステーションの断面図。
【図６】図４に含まれるコントローラによる画像受付処理を示すフローチャート。
【図７】図４に含まれる表示制御部が表示する待機画面を示した図。
【図８】図４に含まれる表示制御部が表示するサービス選択画面を示した図。
【図９】図４に含まれる表示制御部が表示するメディア選択画面を示した図。
【図１０】図４に含まれる表示制御部が表示するプリント枚数選択画面を示した図。
【図１１】表示モード選択ボタン操作時の処理を示したフローチャート。
【図１２】図４に含まれる表示制御部が表示する表示モード選択画面を示した図。
【図１３】図４に含まれる表示制御部が表示する濃淡表示調整画面を示した図。
【図１４】図４に含まれる画像合成部が生成する合成画像の一例を示した図。
【図１５】プリント枚数選択画面のフレームに表示された図１４の合成画像を示した図。
【図１６】本発明の他の実施形態に係る画像プリント装置の外観図。
【符号の説明】
【００９４】
１        プリント注文受付システム
２        受付端末機（画像受付装置）
５        写真プリント装置
６        操作ステーション
７        プリントステーション
８        ネットワーク
２０      コントローラ
２１      筐体
２２      ディスプレイ（表示部）
２３      タッチパネル
２４      メディアドライブ
２５      受付証プリンタ
２６      ハードディスク
２７      ＣＰＵ
２８      メモリ
３１      画像情報処理部
３２      表示モード選択部
３３      変換領域特定部
３４      表示制御部
３５      表示色調整部
３６      画像合成部
３７      注文情報処理部
３８      受付証発行処理部
４０      プリント受付ボタン
４１      メディア保存受付ボタン
４２      中止ボタン
４３      戻るボタン
４４      メディアボタン
４５      ＯＫボタン
４６      フレーム
４６ａ    表示順逆転ボタン
４６ｂ    全体プラスボタン
４６ｃ    全体マイナスボタン
４６ｄ    戻るボタン
４６ｅ    進むボタン
４７      プリント枚数表示エリア
４７ａ    プラスボタン
４７ｂ    マイナスボタン
４７ｃ    補正ボタン
４９      表示モード選択ボタン
５１ａ，５１ｂ，５１ｃ    モード選択ボタン
５２      戻るボタン
５４      スライドバー
５４ｒ    スライドバー（赤）
５４ｇ    スライドバー（緑）
５４ｂ    スライドバー（青）
５５      表示イメージウィンドウ
５６      戻るボタン
５７      ＯＫボタン
６１      フィルムスキャナ
６２      メディアリーダ
６３      モニタ
６４      キーボード
６５      マウス
７１      印画紙マガジン
７２      シートカッター
７３      バックプリント部
７４      プリント露光部
７５      処理槽ユニット
７５ａ    発色現像槽
７５ｂ    漂白定着槽
７５ｃ    安定処理層
７６      コンベア
７７      ソータ
７８      印画紙搬送機構
７８ａ    チャッカー式搬送ユニット
７８ｂ    挟持搬送ローラ対
８０      画像プリント装置
８１      受付端末機（画像受付装置）
８２      写真プリント部
ＤＥ      情報エリア
Ｍ１      記録媒体
ＰＣ      パソコン
ＰＧ      画像受付処理プログラム
ＴＰ      テンプレート
ＩＭ      画像データ
Ｐ        印画紙
Ｐｔｐ    合成画像
ｐ        仕上がりプリント
【図１】
2009015438.tif 000003
【図２】
2009015438.tif 000004
【図３】
2009015438.tif 000005
【図４】
2009015438.tif 000006
【図５】
2009015438.tif 000007
【図６】
2009015438.tif 000008
【図７】
2009015438.tif 000009
【図８】
2009015438.tif 000010
【図９】
2009015438.tif 000011
【図１０】
2009015438.tif 000012
【図１１】
2009015438.tif 000013
【図１２】
2009015438.tif 000014
【図１３】
2009015438.tif 000015
【図１４】
2009015438.tif 000016
【図１５】
2009015438.tif 000017
【図１６】
2009015438.tif 000018